(57)【特許請求の範囲】
【請求項１】
機器を収納するラックを複数一列に列設したラック列を、通路を挟んで対向するよう配置して一対のラック列を形成し、対向するラックの上部間に遮蔽板を掛け渡して通路上部を閉塞し、ラックの通路側空間とラックの上方空間とを分離したラックシステムであって、
前記通路出入口の左右となる前記ラック列端部の全４箇所に、ラックと略同一の高さを有する支柱を立設し、ラック列の両端に配置された支柱の上部間にワイヤーを掛け渡し、前記通路に沿って両側に配設された前記ワイヤーの間に遮蔽板を掛け渡して通路を覆う一方、
前記ラック列を構成する個々のラックは、床下に配設された架台に載置して配設され、前記支柱の下部を前記架台に連結して固定したことを特徴とするラックシステム。
【請求項２】
前記支柱には扉が蝶着され、通路の出入口となる両端は前記扉により閉鎖可能であることを特徴とする請求項１記載のラックシステム。
【発明の詳細な説明】
【技術分野】
【０００１】
本発明は、通信機器や電子機器等の機器、特に発熱を伴う機器を収納したラックに関し、詳しくは通路を挟んで両側にラックを列設し、ラック内の機器を冷却するために外部から導入する冷気とラックから放出される機器の排熱とが混ざらないようラック設置空間をホットアイルとコールドアイルとに区分けできるラックシステムに関する。
【背景技術】
【０００２】
通信機器や電子機器等の機器は稼働時に発熱を伴う。そのため、これらの機器を搭載したラックは、冷却ファンを内蔵して暖気を上方等の外部へ放出すると同時に床下や側面等から冷気を導入して冷却する方式が広く採用されている。
このような冷却方式の場合、ラックから放出された暖気が回り込んでラック内に導入される冷気と混ざってしまう事態を防止するために、ラックから放出された暖気のみの空間（ホットアイル）と、ラックに導入される冷気の空間（コールドアイル）とを区分けしたシステムが提案されている。
【０００３】
例えば特許文献１では、通路を挟んだ両側にラック列を平行に配置し、通路を挟んだ対向するラック間に遮蔽板を屋根状に掛け渡して通路上部を覆い、床下等から通路に冷気を充満させて、通路に面するラック前面から冷気をラック内に導入し、ラックの上部や背面から機器により暖められた暖気を放出させることで、遮蔽板によりコールドアイルとホットアイルとを分離した構成が開示されている。
【先行技術文献】
【特許文献】
【０００４】
【特許文献１】特許第４２０９３５１号公報
【発明の概要】
【発明が解決しようとする課題】
【０００５】
しかしながら、上記特許文献１の構成は、遮蔽板を固定するために各ラックの上部に固定部材を取り付けなければならないため面倒であった。また、通路の出入口となる両端は開放されたままであるため、コールドアイルとホットアイルとを更に確実に分離するために扉等を設ける場合は、通路端部に別途枠部材が必要であり追加部材が必要であった。
【０００６】
そこで、本発明はこのような問題点に鑑み、個々のラックに遮蔽板を取り付けるための固定部材を設ける必要がなく、また追加部材を必要とせずに出入口に扉等を設置できるラックシステムを提供することを目的としている。
【課題を解決するための手段】
【０００７】
上記課題を解決する為に、請求項１の発明は、機器を収納するラックを複数一列に列設したラック列を、通路を挟んで対向するよう配置して一対のラック列を形成し、対向するラックの上部間に遮蔽板を掛け渡して通路上部を閉塞し、ラックの通路側空間とラックの上方空間とを分離したラックシステムであって、前記通路出入口の左右となる前記ラック列端部の全４箇所に、ラックと略同一の高さを有する支柱を立設し、ラック列の両端に配置された支柱の上部間にワイヤーを掛け渡し、前記通路に沿って両側に配設された前記ワイヤーの間に遮蔽板を掛け渡して通路を覆う一方、前記ラック列を構成する個々のラックは、床下に配設された架台に載置して配設され、前記支柱の下部を前記架台に連結して固定したことを特徴とする。
この構成によれば、遮蔽板は支柱間に掛け渡されたワイヤーにより支持されるため、個々のラックに遮蔽板の固定部材を設ける必要がなく、遮蔽板設置作業が容易である。また、支柱は下部がラック下の架台に連結されて固定されるので、ラック自体に連結する必要がなく取付作業が容易である。
【０００８】
請求項２の発明は、請求項１に記載の構成において、前記支柱には扉が蝶着され、通路の出入口となる両端は前記扉により閉鎖可能であることを特徴とする。
この構成によれば、支柱を利用して扉を設置でき、別途扉を設置するための枠部材が必要ない。
【発明の効果】
【０００９】
本発明によれば、遮蔽板は支柱間に掛け渡されたワイヤーにより支持されるため、個々のラックに遮蔽板の固定部材を設ける必要がなく、遮蔽板設置作業が容易である。また、支柱は下部がラック下の架台に連結されて固定されるので、ラック自体に連結する必要がなく取付作業が容易である。また、支柱を利用することで通路の両端を塞ぐ扉を設けることも容易に実施できる。
【図面の簡単な説明】
【００１０】
【図１】本発明に係るラックシステムの一例を示す斜視図である。
【図２】図１において遮蔽板の取付構造を示す説明図である。
【図３】Ａ部の説明図であり、（ａ）は拡大図を示し（ｂ）は支柱を分離した状態を示している。
【図４】ワイヤー端部の説明図であり、（ａ）は分解図、（ｂ）は連結した状態を示している。
【図５】遮蔽板の拡大図であり、（ａ）は斜視図、（ｂ）は側面図を示している。
【発明を実施するための形態】
【００１１】
以下、本発明を具体化した実施の形態を、図面を参照して詳細に説明する。図１は本発明に係るラックシステムの一例を示す斜視図であり、通路Ｌを挟んだ両脇にラック列１を配置し、通路Ｌの上部となるラック列１の間を遮蔽板２で覆い、通路Ｌの出入口となるラック列１の端部には扉３が設けられている。
尚、図１では、説明のため通路Ｌ上部の一部を開放しているが、実際には通路Ｌの上部全体は遮蔽板２で覆われる。
【００１２】
ラック列１は、複数のラック１０，１０，・・を一直線に配置して側面同士を連結して構成されている。全てのラック１０は前面が通路側に向けられて配置され、前面及び背面には扉板１０ａ，１０ｂが設けられて開閉可能となっている。また、ラック列１の両端に配置されたラック１０の側面は、側板１０ｃにより閉塞され、隣接するラック１０同士はネジ止め等で連結されている。
【００１３】
図２は遮蔽板２の取付構造を示している。図２において、４はラック１０の重量を支持するためにラック１０毎にラック１０下に設置される架台、５は遮蔽板２を支持するワイヤー、６はワイヤー５を架設する支柱であり、遮蔽板２はラック列１の両端に立設された支柱６，６の間に架設されたワイヤー５に掛け渡して取り付けられる。
【００１４】
ここで、ラック１０を設置する床について説明する。ラック１０を設置する床は二重床で形成され、図２においてＦ１が下側の第１の床の位置、Ｆ２が上側の第２の床の位置を示している。こうして、架台４は第２の床と同一の高さで形成され、第１の床に設置される。そしてラック１０は架台４上となる第２の床上に設置される。
尚、図１では第２の床上にラック１０を配置した状態を示してており、このとき架台４は床下となるため外観上現れない。
【００１５】
そして、床下空間となる第１の床と第２の床の間の空間は、各種ケーブルや通信線の引き回しや、ラック１０内の機器を冷却のために別途設置されている空調機から送出される冷気の送風空間として使用される。
【００１６】
支柱６は、列設した架台４，４，・・のうち通路Ｌの出入口に配置される列の両端の架台４，４に下端部が連結されて立設される。
図３（ａ）は図２のＡ部拡大図を示し、図３（ｂ）は支柱６を取り付ける様子を示している。この図３に示すように、架台４はラック１０と同一寸法の四角形枠体４ａとその枠体４ａの４隅に設けられた脚４ｂとを有し、脚４ｂは枠体が二重床と同一の面形成する高さで形成されている。そして、支柱６は、架台４の通路Ｌ側の脚４ｂにネジと図示しないナットによりネジ止めして連結されて立設される。
【００１７】
こうして、支柱６が通路Ｌの出入口両側となるラック１０の正面端部に設置され、ラック列１の両端に設置された支柱６，６の間にワイヤー５が架設される。ワイヤー５は、双方のラック列１，１に対して取り付けられ、通路Ｌ上に平行に設置され、このワイヤー５，５の間に遮蔽板２が取り付けられる。
【００１８】
図４はワイヤー５の支柱６への取付構造を示し、図４（ａ）は分解図、図４（ｂ）は連結状態の説明図である。この図４に示すように、ワイヤー５の端部にはボルト１２を螺入するためのネジ孔１３ａを備えた連結具１３が取り付けられている。この連結具１３は筒状に形成され、ワイヤー５と同一軸上にネジ孔１３ａが設けられている。
一方、支柱６上部にはボルト１２のネジ部を挿通してボルト頭部を保持する支持金具１４が設けられている。支持金具１４は略コ字状に形成され、中央平坦部にボルト１２のネジ部を挿通する透孔１４ａを有し、折り曲げた両端部には支柱６に固定するためのネジ止片１４ｂが設けられている。ワイヤー５はボルト１２により支持金具１４に連結された後、ボルト１２の連結具１３への螺入量でワイヤー５の張力が調整される。
尚、支柱６上端には支持金具１４をネジ止めする図示しない連結片を備えており、ワイヤー５が取り付けられた支柱上端は合成樹脂製のキャップ１５で覆われて保護される。
【００１９】
図５は遮蔽板２の拡大図であり、（ａ）は斜視図、（ｂ）は側面図を示している。遮蔽板２は、縁部を形成する鋼板製の四角形枠体２ａと、この枠体２ａ内を閉塞する樹脂板２ｂとで形成され、軽量化が図られている。図５（ｂ）に示すように、ワイヤー５に係合する端部はコ字状に折り曲げて内側に向けて開放形成された収容部２ｃを有し、内側斜め下方からワイヤー５を容易に着脱できるよう構成されている。
【００２０】
尚、遮蔽板２の幅はラック１０の幅に合わせて形成され、ラック１０の連結数に合わせた枚数の遮蔽板２を設置することで通路上部は良好に閉塞される。また、扉３は通路Ｌの両側に設置された支柱６，６の双方に対して蝶着され、観音開きすることで通路Ｌの幅全体を開放可能としている。
【００２１】
この結果、ラック１０で両側が閉塞された通路Ｌの出入口及び天井が閉塞され、通路Ｌのみ空間が周囲の空間と分離される。そのため、床下空間を介して通路Ｌ上に冷気を導入し、通路Ｌに面したラック１０の前面から冷気を吸引させ、ラック１０背部や上部から搭載機器により暖められた暖気を放出するよう空気の流れを形成させた場合、冷気と暖気が混ざるのを防止できる。即ち、コールドアイルとホットアイルを明確に分離できる。
【００２２】
このように、遮蔽板２は支柱６，６間に掛け渡されたワイヤー５により支持されるため、個々のラック１０に遮蔽板２の固定部材を取り付ける必要がなく、遮蔽板設置作業が容易である。また、支柱６はラック１０の架台４に連結され、ラック１０自体には連結しないので取付作業が容易であるし、ワイヤー５の張力を受けても安定した状態を維持できる。
具体的に、架台４ではなくラック１０自体に連結する場合は、ラック１０の４隅に立設されているアングルフレーム等にネジ止めすることになるが、この場合はラック１０内からネジ止めするのが好ましく、面倒な作業となる。また、ラック１０の側板を介して連結する場合は更に面倒となる。その点、架台４へのネジ止めは、ネジ止め部が床下に隠蔽されるため、外側となる支柱６側からネジ止めしても安全上また外観上問題なく、作業がし易い。
また、支柱６を利用して扉３を設置できるので、別途扉３のための枠部材を必要としない。
【００２３】
尚、上記実施形態では、支柱６の上部はワイヤー５を取り付けるだけで自由端としているが、通路Ｌの両側に配置された支柱６，６の上端間に梁部材を掛け渡しても良い。梁部材を掛け渡すことで扉３の周囲を更に堅牢な構造にできる。
また、通路Ｌの出入口を閉塞する手段としては扉３でなくても良く、単なる間仕切りとしてビニールシートのような可撓性を有するシートで閉塞しても良い。このように間仕切り部材を設けるだけでもホットアイルとコールドアイルを分離できる。
【符号の説明】
【００２４】
１・・ラック列、２・・遮蔽板、３・・扉、４・・架台、５・・ワイヤー、６・・支柱、１０・・ラック、Ｌ・・通路。
【図１】
0005658090.tif 000002
【図２】
0005658090.tif 000003
【図３】
0005658090.tif 000004
【図４】
0005658090.tif 000005
【図５】
0005658090.tif 000006